(57)【要約】【課題】信号通信ケーブルが接続されるコネクタ部の換装を容易とする。【解決手段】信号通信ケーブルが接続されるパラレルコネクタ部６３あるいはシリアルコネクタ部７３と、当該パラレルコネクタ部６３あるいはシリアルコネクタ部７３が固定される回路基板とを備え、当該信号通信ケーブルを介して外部電子機器から受信したデータに従ってシートへの記録動作を行う記録装置において、前記回路基板を背面フレーム２７に支持する移動フランジ６２を備え、移動フランジ６２には、前記パラレルコネクタ部６３あるいはシリアルコネクタ部７３が前記回路基板を挟んでねじ止めされ、前記移動フランジ６２は、前記パラレルコネクタ部６３およびシリアルコネクタ部７３の各々のねじ止め位置に移動可能となるよう前記背面フレーム２７と別体で構成される。【選択図】      図５
2004322464.tif 000002
【特許請求の範囲】
【請求項１】
信号通信ケーブルが接続されるコネクタ部と、当該コネクタ部が固定される回路基板とを備えた電子機器において、
前記回路基板を本体フレームに支持するフランジを備え、
前記フランジには、前記コネクタ部が前記回路基板を挟んでねじ止めされ、
前記フランジは、前記コネクタ部のねじ止め位置に応じて移動可能となるよう前記本体フレームと別体で構成される
ことを特徴とする電子機器。
【請求項２】
前記コネクタ部は、パラレル信号通信またはシリアル信号通信のいずれか１の規格に対応したコネクタ形状を有する
ことを特徴とする請求項１に記載の電子機器。
【請求項３】
本体フレームに固定配置された固定フランジを備え、
前記回路基板は、前記フランジおよび前記固定フランジの各々にねじ止め固定される
ことを特徴とする請求項１に記載の電子機器。
【請求項４】
信号通信ケーブルが接続されるコネクタ部と、当該コネクタ部が固定される回路基板とを備え、当該信号通信ケーブルを介して外部電子機器から受信したデータに従ってシートへの記録動作を行う記録装置において、
前記回路基板を本体フレームに支持するフランジを備え、
前記フランジには、前記コネクタ部が前記回路基板を挟んでねじ止めされ、
前記フランジは、前記コネクタ部のねじ止め位置に応じて移動可能となるよう前記本体フレームと別体で構成される
ことを特徴とする記録装置。
【請求項５】
前記コネクタ部は、パラレル信号通信またはシリアル信号通信のいずれか１の規格に対応したコネクタ形状を有する
ことを特徴とする請求項４に記載の記録装置。
【請求項６】
本体フレームに固定配置された固定フランジを備え、
前記回路基板は、前記フランジおよび前記固定フランジの各々にねじ止め固定される
ことを特徴とする請求項４に記載の記録装置。
【発明の詳細な説明】
【０００１】
【発明の属する技術分野】
本発明は、信号通信ケーブルを介して他の装置とデータ通信する電子機器および記録装置に関する。
【０００２】
【従来の技術】
一般に、キャリッジに搭載された記録ヘッドに複数の記録ワイヤを備え、これらの記録ワイヤの突出動作により、インクリボンを介してシートに画像を記録するドットインパクトプリンタが知られている（例えば、特許文献１参照）。
【０００３】
このドットインパクトプリンタなどの記録装置は、パーソナルコンピュータとデータ通信するための信号通信ケーブルが接続されるコネクタ部を備え、当該信号通信ケーブルを介してパーソナルコンピュータから受信した印字データに基づいて記録動作を行うのが一般的である。また通常、このデータ通信規格としては、パラレル通信が用いられ、上記コネクタ部は、当該パラレル通信規格に則した形状となっている。
【０００４】
【特許文献１】
特開平５−１１６３４５号公報
【０００５】
【発明が解決しようとする課題】
しかしながら、例えばユーザの要望などにより上記通信規格を変更する必要が生じた場合に、上記コネクタ部を換装するのが容易ではなかった。
【０００６】
本発明は、上述した事情に鑑みてなされたものであり、信号通信ケーブルが接続されるコネクタ部の換装を容易とすることが可能な電子機器および記録装置を提供することを目的とする。
【０００７】
【課題を解決するための手段】
上記目的を達成するために、請求項１記載の発明は、信号通信ケーブルが接続されるコネクタ部と、当該コネクタ部が固定される回路基板とを備えた電子機器において、前記回路基板を本体フレームに支持するフランジを備え、前記フランジには、前記コネクタ部が前記回路基板を挟んでねじ止めされ、前記フランジは、前記コネクタ部のねじ止め位置に応じて移動可能となるよう前記本体フレームと別体で構成されることを特徴とする。
【０００８】
請求項２記載の発明は、請求項１に記載の電子機器において、前記コネクタ部は、パラレル信号通信またはシリアル信号通信のいずれか１の規格に対応したコネクタ形状を有することを特徴とする。
【０００９】
請求項３記載の発明は、請求項１に記載の電子機器において、本体フレームに固定配置された固定フランジを備え、前記回路基板は、前記フランジおよび前記固定フランジの各々にねじ止め固定されることを特徴とする。
【００１０】
請求項４記載の発明は、信号通信ケーブルが接続されるコネクタ部と、当該コネクタ部が固定される回路基板とを備え、当該信号通信ケーブルを介して外部電子機器から受信したデータに従ってシートへの記録動作を行う記録装置において、前記回路基板を本体フレームに支持するフランジを備え、前記フランジには、前記コネクタ部が前記回路基板を挟んでねじ止めされ、前記フランジは、前記コネクタ部のねじ止め位置に応じて移動可能となるよう前記本体フレームと別体で構成されることを特徴とする。
【００１１】
請求項５記載の発明は、請求項４に記載の記録装置において、前記コネクタ部は、パラレル信号通信またはシリアル信号通信のいずれか１の規格に対応したコネクタ形状を有することを特徴とする。
【００１２】
請求項６記載の発明は、請求項４に記載の記録装置において、本体フレームに固定配置された固定フランジを備え、前記回路基板は、前記フランジおよび前記固定フランジの各々にねじ止め固定されることを特徴とする。
【００１３】
【発明の実施の形態】
以下、図面を参照して本発明の実施形態を詳述する。本実施形態では、電子機器の一例として記録装置について説明する。図１は、本発明の記録装置の実施形態に係るプリンタ１０の前方の外観を示す斜視図であり、図２は、プリンタ１０の後方の外観を示す斜視図である。また、図３は、プリンタ１０の側断面図であり、図４は、このプリンタ１０のフレーム構成を示す斜視図である。
【００１４】
このプリンタ１０は、複数の記録ワイヤを選択的に打ち出す記録ヘッド２０と、この記録ヘッド２０が搭載されるキャリッジ２１とを備え、記録ヘッド２０から打ち出された記録ワイヤをシートに打ち付けることによって文字を含む画像を記録するドットインパクトプリンタである。
【００１５】
図３に示すように、このプリンタ１０は、大別すると、記録ユニットを構成するプリンタ本体１２と、トラクタユニット１３と、シートガイド１４とを備え、これらの上方、下方がアッパーケース１５、ロアケース１６で覆われる構成となっている。上記シートには、所定長さに裁断されたカットシートと、複数枚が連結された連続シートとがある。カットシートとしては、例えば、単票紙、複写紙、通帳またはカットフィルムなどがあり、連続シートとしては連続紙がある。
【００１６】
プリンタ本体１２は、記録機構部としての記録ヘッド２０、キャリッジ２１及びプラテン２２と、シート搬送機構部としての複数の搬送ローラ２３とを備えている。詳述すると、プリンタ本体１２は、一対のサイドフレーム２５、２６（図４参照）の間に、背面フレーム２７（図４参照）、プラテン２２、キャリッジ軸２８、複数のローラ軸（不図示）などが架け渡され、キャリッジ軸２８にキャリッジ２１が、各ローラ軸に搬送ローラ２３が設けられる。
【００１７】
上記搬送ローラ２３は、プラテン２２に対してプリンタ本体１２の前方及び後方に、上下に対に配置されており（一部の搬送ローラ２３は不図示）、図示しないシート搬送モータ及び駆動輪列部によって、図３の時計方向又は反時計方向に回転駆動される。これによって、シートを、プリンタ本体１２の前方（シートガイド１４側）から後方へ搬送したり、また、プリンタ本体１２の後方から前方へ搬送することができる。これにより、シートは、キャリッジ２１の主走査方向に直交する副走査方向に搬送される。
【００１８】
また、上記キャリッジ２１は、キャリッジ軸２８に摺動自在に挿通されると共に、記録ヘッド２０を搭載し、図示しないキャリッジ駆動モータにより駆動されるタイミングベルトに結合される。これにより、キャリッジ２１は、キャリッジ駆動モータの正転又は逆転により、タイミングベルトを介しキャリッジ軸２８に案内されて、キャリッジ軸２８の軸方向及びプラテン２２の長手方向と一致する主走査方向に走行（走査）される。
【００１９】
上記記録ヘッド２０は、多数の記録ワイヤ（不図示）を備え、これらの記録ワイヤをプラテン２２に向けて打ち出す。また、このプリンタ本体１２には、インクリボンカセット２９が着脱自在に装着され、このインクリボンカセット２９のインクリボンが記録ヘッド２０とプラテン２２との間に引き回される。これにより、記録ヘッド２０は、キャリッジ２１と共に主走査方向に走行される間に、記録ワイヤを突出させてインクリボンに打ち当て、このインクリボンのインクを、プラテン２２と記録ヘッド２０との間に搬送されたシートに付着させ、このシートに文字を含む画像を記録する。
【００２０】
また、トラクタユニット１３は、連続シートを上記シート搬送機構部へ供給するものであり、左右一対のトラクタ３０を有する。各トラクタ３０は、トラクタ駆動プーリ（不図示）と、トラクタ従動プーリ（不図示）と、これらプーリに巻き掛けられたトラクタベルト３１とを備え、シート搬送モータ及び駆動輪列部によってトラクタ駆動プーリが回転駆動されて、トラクタベルト３１を駆動して連続シートを搬送する。
【００２１】
記録ヘッド２０による記録動作は、記録ヘッド２０がキャリッジ２１により主走査方向に移動される間に、記録ヘッド２０からの記録ワイヤの打ち出しにより一行分の記録がなされ、この一行分の記録がなされる度に、シート搬送機構部としての搬送ローラ２３（及びトラクタユニット１３）がシートを所定長搬送させ、これらの動作が繰り返されて実施される。
【００２２】
ところで、図２に示すように、上記アッパーケース１５のプリンタ本体１２背面部には、パラレル通信ケーブル（不図示）が接続されるパラレルコネクタ部６３が設けられている。
【００２３】
図５は、プリンタ１０を背面側から見た場合の分解斜視図である。この図に示すように、背面フレーム２７の背面側には、プリンタ本体１２の各部を制御する制御基板５１の他に、パラレル通信回路基板６０が取り付け固定される。パラレル通信回路基板６０は、パラレル通信ケーブル（不図示）を介してパーソナルコンピュータから受信したパラレル信号に対して信号処理を施し、制御基板５１に出力するものであり、図６に示すように、パラレル通信回路基板６０上には、複数のパラレル信号処理ＬＳＩ６１が実装されると共に、上記パラレルコネクタ部６３が固定されている。また、このパラレル通信回路基板６０上には、パラレル通信の他にＵＳＢ（Ｕｎｉｖｅｒｓａｌ  Ｓｅｒｉａｌ  Ｂｕｓ）通信のためのＵＳＢコネクタ部６４が設けられており、パラレル信号通信およびＵＳＢ信号通信の両方を実現可能になされている。
【００２４】
また、制御基板５１およびパラレル通信回路基板６０を覆うカバー８０には、上記パラレルコネクタ部６３を突出させるための開口部８１ａと、上記ＵＳＢコネクタ部６４を突出させるための開口部８１ｂとが設けられ、上記アッパーケース１５には、上記パラレルコネクタ部６３およびＵＳＢコネクタ部６４を突出させるための開口部６５が設けられており、アッパーケース１５によりパラレル通信回路基板６０が覆われても、これらパラレルコネクタ部６３およびＵＳＢコネクタ部６４が開口部６５から突出する構成となっている。
【００２５】
上記パラレル通信回路基板６０の上記背面フレーム２７の背面側への固定は、ねじ止めにより行われる。具体的には、図５に示すように、背面フレーム２７の背面側には、当該背面フレーム２７に固定される３つの固定フランジ６１ａ〜６１ｃと、背面フレーム２７の面上を移動可能な断面コの字状の移動フランジ６２（後に詳述）とが設けられている。
【００２６】
一方、図６に示すように、パラレル通信回路基板６０には、４つのねじ穴６０ａ〜６０ｄが設けられると共に、略長方形のパラレルコネクタ部６３の両端には、ねじ穴６３ａ、６３ｂが設けられている。パラレル通信回路基板６０のねじ穴６０ａ、６０ｄは、パラレルコネクタ部６３のねじ穴６３ａ、６３ｂと重なる位置に設けられている。
【００２７】
従って、パラレルコネクタ部６３のねじ穴６３ａと、パラレル通信回路基板６０のねじ穴６０ａとにねじを挿入して上記固定フランジ６１ａにねじ止め（いわゆる、共じめ）すると共に、パラレルコネクタ部６３のねじ穴６３ｂと、パラレル通信回路基板６０のねじ穴６０ｄにねじを挿入して上記移動フランジ６２にねじ止め（いわゆる、共じめ）することで、パラレルコネクタ部６３とパラレル通信回路基板６０とが背面フレーム２７にねじ止めされる。
【００２８】
また、パラレル通信回路基板６０のねじ穴６０ｂを固定フランジ６１ｂに、ねじ穴６０ｃを固定フランジ６１ｃにねじ止めすることで、当該パラレル通信回路基板６０が４つのフランジ６１ａ〜６１ｃ、６２に固定されることとなる。
【００２９】
ここで、パラレル通信回路基板６０裏側において、パラレルコネクタ部６３が配置される箇所に対応する位置には、当該パラレルコネクタ部６３からの引き出し配線などが配置される。従って、この位置には、フランジを配置することができないため、図５に示すように、パラレルコネクタ部６３のねじ穴６３ａ、６３ｂに対応する箇所だけにフランジ６１ａ、６２が設けられる構成となっている。
【００３０】
さらに、パラレル通信回路基板６０裏側に引き出し配線が配置されるため、上記フランジ６１ａ〜６１ｃ、６２の各々が背面フレーム２７の面から所定の高さＨ（図８参照）の位置に配置されることにより、パラレル通信回路基板６０裏面が背面フレーム２７から離間して支持されて、上記引き出し配線が配置されるスペースが確保される構成となっている。
【００３１】
ところで、上述のように、背面フレーム２７に設けられた４つのフランジ６１ａ〜６１ｃ、６２のうち、１つは移動可能な移動フランジ６２であり、この移動フランジ６２を適宜移動させることで、コネクタ形状の異なる通信回路基板の取り付けが容易となっている。
【００３２】
さらに詳述すると、例えば図７に示すように、シリアル信号を処理するシリアル信号処理ＬＳＩ７１が実装されると共に、シリアル通信ケーブルが接続されるシリアルコネクタ部７３が配置されるシリアル通信回路基板７０にあっては、当該シリアルコネクタ部７３に設けられたねじ穴７３ａ、７３ｂ間のピッチは、上記パラレルコネクタ部６３のねじ穴６３ａ、６３ｂ間のピッチと異なる。そこで、このようなコネクタ形状の異なる通信回路基板を背面フレーム２７に取り付ける場合には、移動フランジ６２をシリアルコネクタ部７３のねじ穴７３ｂと対応する位置まで移動させて取り付けが行われる。
【００３３】
具体的には、図５に示すように、背面フレーム２７には、移動フランジ６２をねじ止め固定するためのねじ穴として、固定フランジ６１ａからの離間距離が異なる２つのねじ穴６６ａ、６６ｂが設けられ、いずれかのねじ穴６６ａ、６６ｂに移動フランジ６２をねじ止め固定することで、当該移動フランジ６２をコネクタ部に設けられたねじ穴に対応した箇所に移動させて固定することが可能となっている。
【００３４】
例えば、ねじ穴間ピッチが比較的長いパラレルコネクタ部６３と、パラレル通信回路基板６０を背面フレーム２７に固定する場合には、図８に示すように、固定フランジ６１ａから移動フランジ６２までの離間距離を大きくすべく、固定フランジ６１ａから最も遠い位置に穿たれたねじ穴６６ｂに移動フランジ６２をねじ止め固定する。
【００３５】
また、上記パラレルコネクタ部６３に代えて、ねじ穴間ピッチが比較的短いシリアルコネクタ部７３と、シリアル通信回路基板７０を背面フレーム２７に固定する場合には、図９に示すように、固定フランジ６１ａから移動フランジ６２までの離間距離を小さくすべく、固定フランジ６１ａから最も近い位置に穿たれたねじ穴６６ａに移動フランジ６２をねじ止め固定する。そして、カバー８０とアッパーケース１５とを取り付けることで、図１０に示すように、シリアルコネクタ部７３をプリンタ本体１２の背面部に出すことが可能となる。
【００３６】
このように、本実施形態によれば、例えばパラレルコネクタ部６３やシリアルコネクタ部７３などのコネクタ部と、通信回路基板とを換装するに、換装すべきコネクタ部のねじ止め位置に応じて、背面フレーム２７の面上における移動フランジ６２の固定位置を変更するだけで、これらコネクタ部と通信回路基板とを容易に取り付けを行うことができ、それらの換装が容易となる。
【００３７】
また、本実施形態にあっては、図８および図９に示すように、背面フレーム２７の面上には、移動フランジ６２の回転防止のための突起が設けられている。具体的には、背面フレーム２７の面上には、突起部６７ａ、６７ｂが設けられると共に、移動フランジ６２の底部には、切欠部６２ａが設けられており、移動フランジ６２がねじ穴６６ａにねじ止めされた場合には、上記切欠部６２ａが突起部６７ａと係合し、また、移動フランジ６２がねじ穴６６ｂにねじ止めされた場合には、上記切欠部６２ａが突起部６７ｂと係合する構成となっている。この構成により、パラレルコネクタ部６３（シリアルコネクタ部７３）と共にパラレル通信回路基板６０（シリアル通信回路基板７０）を移動フランジ６２に共じめする際に、当該移動フランジ６２が回転するのが防止され、ガタなどが生じするのが防止されることとなる。
【００３８】
上述した実施形態は、あくまでも本発明の一態様にすぎず、本発明の範囲内で任意に変形可能である。
【００３９】
例えば、移動フランジ６２を背面フレーム２７にねじ止めするためのねじ穴の数は、取り付けられ得るコネクタ形状に応じて任意に増やすことが可能である。また、本発明は、ドットインパクトプリンタに限らず、信号通信ケーブルが接続されるコネクタ部を有する任意の記録装置および電子機器に適用可能である。
【００４０】
【発明の効果】
以上説明したように、本発明によれば、信号通信ケーブルが接続されるコネクタ部の換装を容易とすることが可能な電子機器および記録装置が提供される。
【図面の簡単な説明】
【図１】本発明の実施形態に係るプリンタの前方の外観構成を示す斜視図である。
【図２】同プリンタの後方の外観構成を示す斜視図である。
【図３】同プリンタの構成を示す側断面図である。
【図４】同プリンタのアッパーケースなどを外した状態を前方から示す斜視図である。
【図５】同プリンタを後方から見た場合の分解斜視図である。
【図６】同パラレル通信回路基板の構成を示す図である。
【図７】同シリアル通信回路基板の構成を示す図である。
【図８】同背面フレームのうち、固定フランジおよび移動フランジ近傍の構成を示す図である。
【図９】同背面フレームのうち、固定フランジおよび移動フランジ近傍の構成を示す図である。
【図１０】同シリアルコネクタ部を有するプリンタの後方の外観構成を示す図である。
【符号の説明】
１０  プリンタ
１２  プリンタ本体
２７  背面フレーム
６０  パラレル通信回路基板
６２  移動フランジ
６２ａ  切欠部
６３  パラレルコネクタ部
６３ａ、６３ｂ  ねじ穴
７０  シリアル通信回路基板
７３  シリアルコネクタ部
７３ａ、７３ｂ  ねじ穴
【図１】
2004322464.tif 000003
【図２】
2004322464.tif 000004
【図３】
2004322464.tif 000005
【図４】
2004322464.tif 000006
【図５】
2004322464.tif 000007
【図６】
2004322464.tif 000008
【図７】
2004322464.tif 000009
【図８】
2004322464.tif 000010
【図９】
2004322464.tif 000011
【図１０】
2004322464.tif 000012